(57)【要約】　　　（修正有）【課題】複数のヘアスタイリング機能の実施を可能にするためのヘアケア部品または温風ドライヤの部品として開発されたヘアケア部品を有する温風ヘアスタイリング器具を提供する。【解決手段】ヘアケア部品は第一のヘアスタイリング用間隙９を形成するために互いに関節結合された２つの腕５，６と、温風ドライヤから提供された風流Ｓを、少なくとも１つの腕５，６ならびにヘアケア部品１へ誘導するための少なくとも１つの流路とこれと連結している風抜け穴Ｌと、風抜け穴Ｌを有する少なくとも１つの腕５に対して回動可能に支持され、腕５の長手方向に延びているヘアスタイリングフィンガー１０が附属しており、その結果、腕とヘアスタイリングフィンガー１０との間に、第二のヘアスタイリング用間隙１３が形成される、湾曲した外側表面と、両腕５，６上に配置され、その剛毛Ｂの間または剛毛の房の間に配置された風抜け穴を具備する附属ブラシ１４とからなる。【選択図】　　図１
2004000475.tif 000002
【特許請求の範囲】
【請求項１】
温風ドライヤと当該温風ドライヤによって発生した風流が作用するヘアケア部品（１）を有する温風ヘアスタイリング器具であって、当該ヘアケア部品は、
‐　相互にほぼ対向している面の外側形状が、第一のヘアスタイリング用間隙（９）を形成するために相補的である、互いに関節結合された２つの腕（５，６）と、
‐　温風ドライヤから提供された風流（Ｓ）を、少なくとも１つの当該両腕（５，６）ならびにヘアケア部品（１）へ誘導するための少なくとも１つの流路と、
‐　少なくとも１つの腕（５，６）に具備された少なくとも１つの流路と連結している風抜け穴（Ｌ）と
‐　当該風抜け穴（Ｌ）を有する少なくとも１つの腕（５）の湾曲した外側表面であって、当該湾曲面には、当該表面に相補的に湾曲し、当該腕（５）に対して回動可能に支持され、当該腕（５）の長手方向に延びているヘアスタイリングフィンガー（１０）が附属しており、その結果、当該腕（５）と当該ヘアスタイリングフィンガー（１０）との間に、第二のヘアスタイリング用間隙（１３）が形成される、湾曲した外側表面と
‐　両腕（５，６）上に配置され、その剛毛（Ｂ）の間または剛毛の房の間に配置された風抜け穴を具備する附属ブラシ（１４）とによって特徴付けられている、温風ヘアスタイリング器具。
【請求項２】
温風ドライヤの附属品として形成されたヘアケア部品であって、当該ヘアケア部品は、
‐　相互にほぼ対向している面の外側形状が、第一のヘアスタイリング用間隙（９）を形成するために相補的である、互いに関節結合された２つの腕（５，６）と、
‐　温風ドライヤから提供された風流（Ｓ）を、少なくとも１つの当該両腕（５，６）ならびにヘアケア部品（１）へ誘導するための少なくとも１つの流路と、
‐　少なくとも１つの腕（５，６）に具備された少なくとも１つの流路と連結している風抜け穴（Ｌ）と
‐　当該風抜け穴（Ｌ）を有する少なくとも１つの腕（５）の湾曲した外側表面であって、当該湾曲面には、当該表面に相補的に湾曲し、当該腕（５）に対して回動可能に支持され、当該腕（５）の長手方向に延びているヘアスタイリングフィンガー（１０）が附属しており、その結果、当該腕と当該ヘアスタイリングフィンガー（１０）との間に、第二のヘアスタイリング用間隙（１３）が形成される、湾曲した外側表面と
‐　両腕（５，６）上に配置され、その剛毛（Ｂ）の間または剛毛の房の間に配置された風抜け穴を具備する附属ブラシ（１４）とによって特徴付けられている、ヘアケア部品。
【請求項３】
上記ヘアケア部品（１）の、相互に対面している腕（５，６）の表面は、ほぼ平坦であることを特徴とする請求項１または２に記載の器具。
【請求項４】
一方の腕（５）は、他方の腕（６）の方を向く表面に、櫛（１９）の基部を収容するための溝（１７）を具備し、他方の腕（６）の相補的表面は、当該櫛の歯を収容するための溝（１８）を具備することを特徴とする請求項３に記載の器具。
【請求項５】
上記ヘアケア部品（１）の一方の腕（５）には、風流を受け入れるための環状接続片（２）が結合し、腕（５）と接続片（２）を有する当該ユニットに、ヘアスタイリングフィンガーと他方の腕（６）が回動可能に関節結合されていることを特徴とする請求項１ないし４のいずれか１項に記載の器具。
【請求項６】
上記接続片（２）と腕（５）に関節結合している上記腕（６）には、他方の腕（５）のヘアスタイリングフィンガー（１０）が配置されている側の方向に延びた、弓状の作動レバー（８）が附属していることを特徴とする請求項５に記載の器具。
【請求項７】
第一のヘアスタイリング部分（間隙）（９）を閉止するために、上記作動レバー（８）をラッチすることが可能なことを特徴とする請求項６に記載の器具。
【請求項８】
上記ヘアスタイリングフィンガー（１０）には、スプリング要素の力に対して第二のヘアスタイリング用間隙（１３）を開くための作動レバー（１２）が附属していることを特徴とする請求項１ないし７のいずれか１項に記載の器具。
【請求項９】
上記附属ブラシ（１４）は、剛毛（Ｂ）または剛毛の房が外側に向かって突出するように配置され、内部が、閉じられた腕（５，６）と、閉じられたヘアスタイリングフィンガー（１０）を収容するように形成された、開口した円筒状の環状本体（１５）を具備することを特徴とする請求項１ないし８のいずれか１項に記載の器具。
【請求項１０】
開口した環状本体（１５）は弾性的な特性を有する材料からなり、それにより、附属ブラシ（１４）を取り付けて器具を利用するために、上記附属ブラシ（１４）が上記２つの閉じられた腕（５，６）と上記ヘアスタイリングフィンガー（１０）に確実に装着されることを特徴とする請求項９項に記載の器具。
【請求項１１】
上記附属ブラシは、剛毛または剛毛の房が外側に向かって突出するように配置され、内部が、閉じられた腕と、閉じられたヘアスタイリングフィンガーを収容するように形成された、閉じられた円筒状の環状本体を具備することを特徴とする請求項１ないし８のいずれか１項に記載の器具。
【発明の詳細な説明】
【０００１】
【発明の属する技術分野】
本発明は、温風ドライヤと、当該温風ドライヤによって発生した風流が作用するヘアケア部品とを有する温風スタイリング器具に関する。本発明はさらに、温風ドライヤの附属品として開発されたヘアケア部品に関する。
【０００２】
【従来の技術と発明が解決しようとする課題】
温風ヘアスタイリング器具は、それぞれの場合において、異なるヘアスタイリング目的に応じて設計されている。既知の温風ヘアスタイリング器具は、カーリングロッド、ヘアストレートナー，またはエアブラシとして開発されている。そのような器具を使用して髪をスタイリングするためには、使用者は、これら３つの器具を利用可能でなければならない。つまり、これらの器具と、さらにはヘアケア器具を使用して髪を所望の形態にするために、十分や場所と十分な数の電気接続が必要である。
【０００３】
従って、本発明は、複数のヘアスタイリング機能の実施を可能にするためのヘアケア部品または温風ドライヤの付属品として開発されたヘアケア部品を有する温風ヘアスタイリング器具を開発するという課題に取り組んでいる。
【課題を解決するための手段】
【０００４】
本発明によれば、上記の課題は、ヘアケア部品と、温風ドライヤの付属品として開発されたヘアケア部品を有する、温風ヘアスタイリング器具によって解決され、当該ヘアケア部品は、
‐　相互にほぼ対向している面の外側形状が、第一のヘアスタイリング用間隙を形成するために相補的である、互いに関節結合された２つの腕と、
‐　温風ドライヤから提供された風流を、少なくとも１つの腕ならびにヘアケア部品へ誘導するための少なくとも１つの流路と、
‐　少なくとも１つの腕に具備された少なくとも１つの流路と連結している風抜け穴と
‐　当該風抜け穴を有する少なくとも１つの腕の湾曲した外側表面であって、当該湾曲面には、当該表面に相補的に湾曲し、当該腕に対して回動可能に支持され、当該腕の長手方向に延びているヘアスタイリングフィンガーが附属しており、その結果、当該腕と当該ヘアスタイリングフィンガーとの間に、第二のヘアスタイリング用間隙が形成される、湾曲した外側表面と
‐　両腕の上に配置され、その剛毛の間または剛毛の房の間に配置された風抜け穴を具備する附属ブラシとを特徴とする。
【０００５】
そのようなヘアケア部品は、温風ヘアスタイリング器具の一部分であるか、あるいは、把持片に一体化される等によって温風ドライヤの付属品として開発されてもよく、該ヘアケア部品には、はさみのような態様で相互に関節結合された２つの腕が設けられる。当該両腕の間には、第一のヘアスタイリング用間隙が画定され、当該間隙では、２つの腕の相互に対面している側の表面形状によって２つの腕の間に保持された毛髪をスタイリングすることができる。髪を整えるために必要な熱は温風ドライヤによって提供され、この風流は、ヘアケア部品の少なくとも１つの流路に入り、２つの腕の少なくとも１方の腕の風抜け穴から逃れ、第一のヘアスタイリング用間隙に配置された毛髪へ到達する。このために、当該１つの流路と接続している風抜け穴は、当該１つの腕へ少なくとも局部的に導入される。両腕には空洞が効果的に設けられ、それぞれが流路を有し、風抜け穴によって特徴付けられている。そのような実現の形態によって、第一のヘアスタイリング用間隙の間に配置した毛髪を両側から熱することができる。２つの腕の少なくとも１方の外側表面、例えば他方の腕と反対側の外側表面は、部分的に湾曲している。この湾曲した表面に附属しているのが、当該腕に対して回動可能に支持され、当該腕の長手方向に延びている、ヘアスタイリングフィンガーである。当該腕に面した、このヘアスタイリングフィンガーの表面は、当該腕の湾曲表面に対して相補的である。従って、第二のヘアスタイリング用間隙が当該腕とヘアスタイリングフィンガーとの間に形成される。当該ヘアスタイリングフィンガーは、その作動のために、第二のヘアスタイリング用間隙をスプリング要素の力に対抗して開けるための作動レバーを効果的に有し、腕に対して回動可能に配置されているため、毛髪をヘアスタイリング用間隙に配置して、ヘアスタイリングフィンガーと当該腕の湾曲により、同時に温風を供給しながら毛髪を整えることができる。このように、ヘアケア部品はカーリングロッドとして利用することができる。相互に対面している２つの腕の表面が平坦又はほぼ平坦である場合には、第一のヘアスタイリング用間隙はヘアストレートナーとして使用することができる。一方の腕が他方の腕に対して回動可能に配置されているため、毛髪を容易に第一のヘアスタイリング用間隙に配置することができ、またそこから取り除くことができる。相互に対面している２つの腕の表面は、しかし、波型に形成された形状等を有してもよく、この場合、第一のヘアスタイリング用間隙において毛髪にはウェーブがかかる。あるいは、その形状は、髪のボリュームを上げるようなものであってもよい。
【０００６】
ヘアケア部品のさらなる構成要素は、附属ブラシであって、双方の腕を合わせた上に配置され、それを包み込むことができる。ヘアスタイリングフィンガーもまた附属ブラシによって包囲される場合は効果的である。附属ブラシは、その剛毛または剛毛の房の間に風抜け穴を具備し、風抜け穴を通じて少なくとも１つの腕から逃れる温風が、剛毛または剛毛の房の間からも抜けて、スタイルされる毛髪に到達することができる。この実現形態では、ヘアケア部品は、エアブラシ又はエアカーラーとして使用することができる。
【０００７】
従って、このケアケア部品では、従来は複数の個別の器具が必要であったヘアスタイリングが、１つの器具で実施可能である。当該ヘアケア部品は、毛髪のスタイリングを、器具の数の点から単純化するだけではなく、器具の変更が不必要であることから、ヘアスタイリングをより迅速化できる。そのようなヘアケア部品は、２つの腕の一方が温風ドライヤによって提供された温風が流れる環状接続片を具備するように開発されると有効である。へアケア部品が附属品として開発された場合、当該接続片は、同時に把持片等になる温風ドライヤに一緒に配置されるヘアケア部品を取り付けるための連結片として機能する。この場合、接続片は、把持片上にヘアケア部品を固定するために、バヨネットラッチ等のラッチ手段を効果的に具備する。従って、この腕は、特定のスタイリング用間隙を形成する更なる２つの要素のための基礎を形成する。これらさらなる要素とは、第一のヘアスタイリング用間隙を形成するもう一つの腕と、第二のヘアスタイリング用間隙を形成するヘアスタイリングフィンガーである。２つの腕の間に配置されたヘアスタイリングフィンガーを開閉するためには、１の腕に回動可能に関節結合している他方の腕の１部分であり、効果的には弓の形状をした、作動レバーが機能する。作動レバーは、好適には、第二のヘアスタイリング用間隙を開くため、ヘアケアフィンガーに附属する該レバーが提供されたヘアケア部品の側面に重なるように延びる。従って、ヘアケア部品のはさみ状の両要素を、同一の側から親指等で作動させることが可能である。２つの腕の間のヘアスタイリング用間隙の開閉のための作動レバーが、他方の腕または、ラッチ等でそれに対して静止した他の要素に、位置的に固定されていると効果的である。
【０００８】
附属ブラシは、開口した円筒状環状本体等を具備し、これに、剛毛または剛毛の房が外側に向かって放射状に突出するように配置される。この環状本体は、効果的には弾性材料からなるので、附属ブラシを２つの腕に容易に配置することが可能であり、またその際には、エアブラシまたはエアカーラーとして当該ヘアケア部品を操作するのに十分に堅固な装着が保証される。附属ブラシとヘアケア部品の残りの構成要素との間のゆがみから保護するために機能するのがヘアスタイリングフィンガーであって、そのような実現形態では、当該フィンガーは付属ブラシの溝に形状的に密着するように契合し、そこに挿入された２つの腕とヘアスタイリングフィンガーに対して、附属ブラシが回転することを防止することができる。さらなる実現形態では、外側に向かって放射状に突出するように剛毛または剛毛の房が配置された、閉じられた円筒状の環状本体を有する。この附属ブラシは、ヘアケア部品の閉止した両腕の上にスライドさせてはめ込むことができる。
【０００９】
添付図面を参照して記載された例示的実施形態に関連させて本発明を以下に説明する。
【００１０】
【発明の実施の形態】
ヘアケア部品１は附属品として開発され、把持片と一体型の温風ドライヤに配置される。ヘアケア部品１は、当該目的のために、ヘアケア部品１を上記把持片に接続することを可能にする環状接続片２を具備する。接続片２とともに基部ユニットを形成している第一の腕３が設けられている。腕３は、前面に丸みをつけた頂部４と、風抜け穴Ｌが配置されている部分５を有する。腕３の内部は、接続片２とともに流路を形成している空洞である。従って、温風ドライヤから供給された風の流れは、接続片２と腕５に入り、風抜け穴Ｌから逃げる。図では、部分５が風抜け穴Ｌを有する領域は小さいが、実際の風抜け穴Ｌは、部分５全体にわたって円周上に拡がっている。
【００１１】
第二の腕６は、接続片２に回動可能に関節結合している。回動軸は参照番号７で示されている。腕６は、基本的に腕５のような構造をしており、従って、中が空洞である。腕６の空洞空間もまた流路であって、腕６が図１のように位置する場合には、接続片２から受け取る風流の該位置に相当する分量が流れる。第二の腕６が第一の腕５に対して回動可能に配置されているので、両腕５と６を、はさみのように互いに対して動かすことができる。この目的のために、第二の腕６は、弓状の作動レバー８を具備しており、これは、接続片２周囲の外側に左右対称的に、つまり該接続片２を包囲するように、第一の腕５が配置された接続片２の側方へ向かって延びている。腕６が図１に図示されたような位置にある場合、腕６は、図示されていない手段によって接続片２にラッチされている。スプリング要素がラッチに対して作用し、ラッチが外れると腕６が回転して開く。図２に示すように、腕５と６がはさみが開いたような位置にあるとき、毛髪をヘアスタイリング用間隙９に配置することができる。相互に対面する両腕５と６の２側面は、図３のように、ほぼ平坦なので、当該ヘアステイリング用間隙９に配置された毛髪をまっすぐにすることができる。
【００１２】
腕５には、ヘアスタイリングフィンガー１０が附属しており、腕５に対向するその表面形状は、腕５の湾曲した外側表面に相補的である。この構造は、特に図３に図示されている。ヘアスタイリングフィンガー１０は、第二の腕６のように、腕５と接続片２により形成された基部ユニットに回動可動に関節結合している。回動軸は参照番号１１で表されている。ヘアスタイリングフィンガー１０を作動させるために作動レバー１２が機能し、当該レバーは、スプリング要素（図示せず）の力に対抗して、図２に図示した方向に沿って回動可能であり、そのような作動を通じて、第一の腕５の上側とヘアスタイリングフィンガー１０との間に、ヘアスタイリング用間隙１３が形成される。第一の腕５の表面を湾曲させ、これと相補的なヘアスタイリングフィンガー１０を設けるという発想により、ヘアスタイリング用間隙１３は、個々のカールを形成するために機能する。
【００１３】
ヘアケア部品１の更なる部品は、図３に図示された附属ブラシ１４である。附属ブラシ１４は、円筒状の開口した環状本体１５を具備し、この上に、各剛毛Ｂが外側に向かって放射状に突出するように配置されている。環状本体１５の材料は弾性的で、図３に図示された取り付け位置では、所定の張力によって腕５と６の上に保持されている。図示された実施態様では、ヘアスタイリングフィンガー１０がその中に延びる溝１６が環状本体１５の内側表面に設けられており、これが歪みに対する保護として機能する。環状本体１５の各剛毛Ｂまたは各剛毛部分の間には風抜け穴が設けられており、腕５、６の風抜け穴Ｌから逃げる風が、環状本体１５を通過して毛髪に到達することができる。
【００１４】
図示された実施態様の腕５と６の互いに対向する各面は、櫛１９を組み入れるための溝１７および１８をそれぞれ具備する。図示された実施態様では、櫛１９は、腕６の溝１７に保持され、櫛１９の各歯が第一の腕５の溝１８に延びている。毛髪を真っ直ぐに伸ばしている間にこのような櫛１９を挿入することによって、毛髪を真っ直ぐに伸ばすと同時に櫛で梳くこともできるように、毛髪を誘導することができる。
【図面の簡単な説明】
【図１】温風ドライヤの附属品として開発されたヘアケア部品の概略側面図である。
【図２】図１のケアケア部品のヘアスタイリング用間隙が開いた状態の図である。
【図３】線Ａ−Ｂに沿った図１のヘアケア部品の断面図である。
【符号の説明】
１　　　　　　　　ヘアケア部品
２　　　　　　　　接続片
３，６　　　　　　腕
４　　　　　　　　頂部
５　　　　　　　　（腕の）一部分
７，１１　　　　　回動軸
８，１２　　　　　作動レバー
９　　　　　　　　ヘアスタイリング用間隙
１０　　　　　　　ヘアスタイリングフィンガー
１４　　　　　　　附属ブラシ
１５　　　　　　　環状本体
１９　　　　　　　櫛
Ｂ　　　　　　　　剛毛
Ｌ　　　　　　　　風抜け穴
【図１】
2004000475.tif 000003
【図２】
2004000475.tif 000004
【図３】
2004000475.tif 000005